(57)【要約】【課題】  簡単な構造で、しかも介護が容易な、起立補助装置を具備した車椅子を提供する。【解決手段】  座面１の後端部を、車椅子のフレームに取り付けられた押上用棒状部材２で押し上げ、座面１を傾斜させて、要介護者の起立を介助し得る構造とする。当該押上用棒状部材２の押し上げは、車椅子のフレームに取り付けられ、ラチェット構造の回動部を有する支点７を介して取り付けられた、板状の部材における車椅子前方のペダル８を、介護者が踏むことにより行なう。このような構造とすることで、介護者と要介護者の間に車椅子の部材が介在しないので、要介護者の起立の介助が容易となる。【選択図】図１
2011056228.tif 000002
【特許請求の範囲】
【請求項１】
座面における背もたれ部側の端部を、前記座面下部のフレームに上下方向にスライド可能に取り付けられてなる押上用棒状部材により上方向に移動させることにより、前記座面の傾斜角度を調整し得る車椅子において、前記押上用棒状部材の上方向への移動は、前記フレームにおける前記座面の端部よりも前方に設けられた支点に取り付けられた、板状の部材の前方の端部を下方向への移動による、前記押上用棒状部材の下端に当接する、前記板状部材の後方の端部の上方向への移動により行なうことを特徴とする車椅子。
【請求項２】
前記支点の回動部は、ラチェット機構を有することを特徴とする、請求項１に記載の車椅子。
【発明の詳細な説明】
【技術分野】
【０００１】  本発明は、座面を傾斜させることで、要介護者の起立を容易にする起立補助装置を具備した車椅子に関し、特に車椅子の前方から、介護者が操作することにより、座面を傾斜させることができるものに関する。
【背景技術】
【０００２】  車椅子の利用者は、当然のことながら歩行機能などに何らかの障害を有し、利用者自身の起立に多大の労力を要するばかりでなく、苦痛を伴うことがあるので、介護が必要となる、つまり要介護者となる場合が多い。特に我が国おいては、少子高齢化の進行に伴い、介護される側が高齢者であると、介護する側も高齢となる可能性があり、介護する側の負担が増加するという問題が深刻になりつつある。【０００３】  この対策として、介護ロボットなどの開発が盛んに行われているが、実用化にはなお一定の期間を要し、実用化されても価格の問題から、直ちに一般に普及するのは困難と思われる。また、前記のロボット以外にも、比較的簡便な構造で、要介護者の起立を補助する機能を具備した車椅子が種々提案されている。【０００４】  一例を挙げると、特許文献１には、車椅子自体の傾きを変えることで、車椅子上の要介護者を立ち上がらせることが可能な、車椅子の起立補助装置が開示されている。しかしながら、ここに開示されている車椅子の起立補助装置においては、車椅子の傾きを変える駆動源として、電動モータ、空圧機構または油圧機構を用い、動力の伝達機構として、プーリ、ピニオン、ラックなどを用いていることから、構造の複雑さにより製造コスト低減が困難であることや、車椅子自体の重量増加が避けられないという問題がある。【０００５】  このような課題への対処策として、本発明者は先に特許文献２において、介護者が車椅子に設けられたペダルを踏むことにより、座面を傾斜させ、要介護者の起立を支援し得る、簡単な構造の車椅子を提案している。しかしながら、ここに開示されている車椅子においては、ペダルを踏む位置が車椅子の後側にあり、介護者が要介護者の身体を支えるには、操作位置などに改善の余地があった。
【先行技術文献】
【特許文献】
【０００６】
【特許文献１】  特許第３５５３８８８号公報
【特許文献２】  特開２００８−１５４９７８号公報
【発明の概要】
【発明が解決しようとする課題】
【０００７】  従って、本発明の課題は、簡単な構造で、しかも介護が容易な、起立補助装置を具備した車椅子を提供することにある。
【課題を解決するための手段】
【０００８】  本発明は、前記の課題解決のため、前記車椅子の、起立補助装置の構造を再検討した結果、なされたものである。【０００９】  即ち、本発明は、座面における背もたれ部側の端部を、前記座面下部のフレームに上下方向にスライド可能に取り付けられてなる押上用棒状部材により上方向に移動させることにより、前記座面の傾斜角度を調整し得る車椅子において、前記押上用棒状部材の上方向への移動は、前記フレームにおける前記座面の端部よりも前方に設けられた支点に取り付けられた、板状の部材の前方の端部を下方向への移動による、前記押上用棒状部材の下端に当接する、前記板状部材の後方の端部の上方向への移動により行なうことを特徴とする車椅子である。【００１０】  また、本発明は、前記支点の回動部が、ラチェット機構を有することを特徴とする、前記の車椅子である。
【発明の効果】
【００１１】  本発明による車椅子においては、前記の板状の部材の前方の端部がペダルを構成していて、当該ペダルを介護者が踏むことにより、座面の背もたれ部側が上昇する構造が付与されている。このため、要介護者と介護者の間に車椅子の構成部材が存在しないので、要介護者が起立する際に、介護者が要介護者の身体を直接的に支えることができる。【００１２】  また、ペダルの支点の回動部は、通常の滑り軸受けやベアリングを用いることも、可能であるが、ラチェット構造を付与することで、介護者がペダルを踏んで、ペダルを下方向に移動する際に、要介護者の体重で逆方向に動くことがなく、操作性が格段に向上する。【００１３】  また、本発明による起立補助装置を有する車椅子は、単なる介護だけでなく、リハビリテーションにも利用できるが、リハビリテーションの実施には、進捗状況を数値で把握できると、リハビリテーションの目標設定が可能となり、要介護者の動機付けとなる。具体的には、要介護者の機能回復の進捗度が、起立可能な座面角度の減少に繋がるので、座面の傾斜角度を表示できるようにするのが有用である。
【図面の簡単な説明】
【００１４】
【図１】  本発明に係る車椅子の一例の通常の状態を示す図
【図２】  本発明に係る車椅子の一例の座面が傾斜した状態を示す図
【図３】  本発明に係る車椅子で座面の傾斜を示す角度表示版を取り付けた例を示す図
【発明を実施するための形態】
【００１５】  次に、具体的な図に基づいて、本発明の車椅子の実施の形態について説明する。
【００１６】  図１は、本発明に係る車椅子の一例の通常の状態を示す図で、図２は、座面が傾斜した状態を示す。図１及び図２において、１は座面、２は押上用棒状部材、３は押上用棒状部材支持部、４は板状部材の後方の端部、５は板状部材の前方の端部、６は板状部材の前方の端部とペダルを接合する蝶番、７は支点、８はペダルである。
【００１７】  図に示したように、本発明の車椅子においては、押上用棒状部材支持部３に支持された押上用棒状部材３が上下方向にスライド可能であり、ペダル８を踏むことにより上方向に移動する板状部材の後方の端部４で押し上げられる。この例では、ペダル８が蝶番６によって、板状部材の前方の端部４に接合され、非使用時には図１に示したように折り畳んで収納できるようになっていて、支点７は、ラッチェト構造となっている。
【００１８】  図３は、本発明に係る車椅子の一例で、座面の傾斜を示す角度表示板９を取り付けた例である。このように角度表示板９を取り付けることで、本発明の車椅子をリハビリテーションに用いた場合、機能回復の進捗の程度を数値化できるので、要介護者がリハビリテーションに取り組む意欲を向上することができる。
【００１９】  以上に述べたように本発明によれば、簡便な構造で低コストで製作できる、起立補助装置付きの車椅子を提供することが可能となり、来るべき高齢化社会に寄与するところは極めて大きいと言える。なお、本発明は、前記実施の形態に限定されるものではなく、本発明の分野における通常の知識を有する者であれば想到し得る、各種変形、修正を含む要旨を免脱しない範囲の設計変更があっても、本発明に含まれることは勿論である。
【符号の説明】
【００１９】１  座面
２  押上用棒状部材
３  押上用棒状部材支持部
４  板状部材の後方の端部
５  板状部材の前方の端部
６  蝶番
７  支点
８  ペダル
９  角度表示板
【図１】
2011056228.tif 000003
【図２】
2011056228.tif 000004
【図３】
2011056228.tif 000005